(57)【要約】【課題】施工性を向上させることの可能な遮蔽装置を提供する。【解決手段】ロールスクリーン１００は、スクリーン１１０を開閉可能に支持する巻取りパイプ１２０と、スクリーン１１０の両端部を案内するガイドレール１３０と、を備える。ガイドレール１３０は、ネジ１４０によって固定面２００に固定され、固定面２００に対向する面が開放されたベースレール１５０と、スクリーン１１０の端部を支持するとともに、ベースレール１５０に内装されるインナーレール１６０と、を備え、インナーレール１６０には、スクリーン１１０の端部が挿入されるスリット１６２と、ネジ１４０が通過する大きさでありベースレール１５０に連通する開口部１６４と、が形成されたことを特徴とする。かかる構成によれば、ロールスクリーン１００の施工性を向上させることが可能である。【選択図】図２
2019039205.tif 000002
【特許請求の範囲】
【請求項１】
遮蔽材を開閉可能に支持する支持部材と、前記遮蔽材の両端部を案内するガイドレールと、を備えた遮蔽装置であって、
前記ガイドレールは、
締結具によって固定面に固定され、前記固定面に対向する面が開放されたベースレールと、
前記遮蔽材の端部を支持するとともに、前記ベースレールに内装されるインナーレールと、
を備え、
前記インナーレールには、前記遮蔽材の端部が挿入されるスリットと、前記締結具が通過する大きさであり前記ベースレールに連通する開口部と、が形成されたことを特徴とする、遮蔽装置。
【請求項２】
前記開口部は、前記スリットから離間した位置に形成されることを特徴とする、請求項１に記載の遮蔽装置。
【請求項３】
前記開口部は、前記スリットを跨ぐように形成されることを特徴とする、請求項１に記載の遮蔽装置。
【請求項４】
前記開口部の前記スリットとの接続部分がテーパー状又はＲ状であることを特徴とする、請求項３に記載の遮蔽装置。
【請求項５】
前記インナーレールは、開口部が形成された１又は２以上の第１インナーレールと、開口部が形成されていない１又は２以上の第２インナーレールと、が長さ方向に配置されることを特徴とする、請求項１〜４のいずれかに記載の遮蔽装置。
【請求項６】
前記ベースレール内には、前記インナーレールよりも前記開放された面寄りに、前記遮蔽材の前面と背面の少なくとも一方の面に接触するように隙間防止部材が設けられるようにした請求項１〜５のいずれかに記載の遮蔽装置。
【発明の詳細な説明】
【技術分野】
【０００１】
本発明は、遮蔽装置に関する。
【背景技術】
【０００２】
従来の遮蔽装置として、実開平５−８４７９８号公報（特許文献１）に示されるものがある。同文献に開示される遮蔽装置のガイドレールは、アルミ製のボトムバーの端部が嵌合する案内溝を長さ方向に備えたメインレール内に、スクリーンの端部が抜止状態に係合するスリット付きのインナーレールを備える。そして、メインレールの構成として、アルミニウムからなる断面溝形のレール主体における両側壁の先端部に、合成樹脂製の案内部材をそれぞれ装着することにより、これらの案内部材間に案内溝を設けたことが開示されている。
【０００３】
これによれば、スクリーンの幅方向の張力が高まる方向に付勢する弾性部材を介在させた状態で、メインレールのレール主体内にインナーレールを配置し、レール主体の両側壁の先端部に合成樹脂製の案内部材をそれぞれ装着することで、インナーレールをメインレール内で保持するよう構成されている。このため、スクリーンの開閉時に、アルミニウム製のボトムバーはメインレールにおける合成樹脂製の案内部材と擦り合うため、摺動音は殆ど発生せず、摺動抵抗も小さいという効果を有する。
【先行技術文献】
【特許文献】
【０００４】
【特許文献１】実開平５−８４７９８号公報
【発明の概要】
【発明が解決しようとする課題】
【０００５】
しかしながら、メインレールを構成する部材が、レール主体と案内部材とから構成され、メインレールを固定面に取り付けるにあたっては、メインレールの側面の外方に形成される延長片をネジ止めする構成が開示されているものの、窓枠等の固定面の寸法によっては取付けが不可能である。延長片を形成せずにメインレールの底面をネジ止めすることも可能であるが、その場合には、メインレールのレール主体のみネジ止めし、そのあとにインナーレールを組み込み、最後に両案内部材を装着する必要があり、部品点数が多く施工性に課題があった。
【０００６】
そこで本発明は、このような問題に鑑みてなされたもので、その目的とするところは、施工性を向上させることの可能な遮蔽装置を提供することにある。
【課題を解決するための手段】
【０００７】
上記課題を解決するために、本発明によれば、遮蔽材を開閉可能に支持する支持部材と、前記遮蔽材の両端部を案内するガイドレールと、を備えた遮蔽装置であって、前記ガイドレールは、締結具によって固定面に固定され、前記固定面に対向する面が開放されたベースレールと、前記遮蔽材の端部を支持するとともに、前記ベースレールに内装されるインナーレールと、を備え、前記インナーレールには、前記遮蔽材の端部が挿入されるスリットと、前記締結具が通過する大きさであり前記ベースレールに連通する開口部と、が形成されたことを特徴とする、遮蔽装置が提供される。
【０００８】
かかる構成によれば、インナーレールに、締結具（例えばネジ）が通過する大きさでありベースレールに連通する開口部を形成することで、インナーレールをベースレールに内装した状態で開口部を通してベースレールを固定面に締結具で止めることができ、部品点数が減り、施工性も向上する。また、従来の特許文献１で開示されるような後付けの案内部材が不要であるため、ベースレールの設計の自由度が増し、レールの寸法（例えば、遮蔽材幅方向に該当するレールの奥行き方向）を小さくできるため、遮蔽装置が設置される空間の開放面積を大きくとることができる。
【０００９】
本発明は様々な応用が可能である。以下の応用例は適宜組み合わせることが可能である。
例えば、前記開口部は、前記スリットから離間した位置に形成されるようにしてもよい。開口部を、遮蔽材の端部が挿入されるスリットから離間した位置に形成することで、遮蔽材の移動に影響を与えない。
【００１０】
また、前記開口部は、前記スリットを跨ぐように形成されるようにしてもよい。スリットを跨ぐように開口部を形成することで、ベースレールを大きくする必要がなく既存のベースレールを用いることができる。
【００１１】
また、前記開口部の前記スリットとの接続部分がテーパー状又はＲ状であるようにしてもよい。スリットを跨ぐように開口部を形成したときには、かかる構成にすることによって、遮蔽材の移動に影響を与えにくくなる。すなわち、開口部のスリットとの接続部分がテーパー状又はＲ状であることによって、遮蔽材が開口部を通過するとき、開口部とスリットとの境界部に引っかかって、スクリーン端部（ファスナー）がスリットから離脱したり、開閉不良を起こしたりすることを防止できる。
【００１２】
また、前記インナーレールは、開口部を有する１又は２以上の第１インナーレールと、開口部を有さない１又は２以上の第２インナーレールと、が長さ方向に配置されるようにしてもよい。かかる構成によれば、ベースレールに形成される締結具止め用の孔部の位置に合わせて第１インナーレール（例えば、短尺に切断したレール部材）を配置し、それ以外の部分に第２インナーレール（例えば、第１インナーレールよりも長尺に切断したレール部材）を配置する構成とすることで、製品サイズ（高さ）毎にインナーレールの開口部の加工位置を設定する必要がなくなり、取付現場での開口部の位置調整も容易となる。また、運搬も容易となる。このようにして、さらに施工性を上げることができる。
【００１３】
また、前記ベースレール内には、前記インナーレールよりも前記開放された面寄りに、前記遮蔽材の前面と背面の少なくとも一方の面に接触するように隙間防止部材を設けるようにしてもよい。ベースレール内には、インナーレールよりも開放された面寄りに隙間防止部材を設けることで、開口部からの光漏れを防止することができる。なお、隙間防止部材は、遮蔽装置の設置場所や施工性向上のために、他の位置に設けるようにしてもよい。
【発明の効果】
【００１４】
本発明によれば、施工性を向上させることの可能な遮蔽装置が提供される。本発明のその他の効果については、後述する発明を実施するための形態においても説明する。
【図面の簡単な説明】
【００１５】
【図１】第１の実施形態に係る遮蔽装置の全体構成を説明するための正面図である。
【図２】図１のＡ−Ａ断面図である。
【図３】インナーレールを説明するための図であり、（ａ）はインナーレールの正面側の斜視図であり、（ｂ）はインナーレールの背面側の斜視図であり、（ｃ）は開口部の拡大図である。
【図４】ベースレールにインナーレールを組み付ける状態を説明するための図である。
【図５】ガイドレールを説明するための図であり、（ａ）はベースレールの一部を長さ方向に切断した図であり、（ｂ）はガイドレールの側面図である。
【図６】ガイドレールを固定面に取付けた状態を示す図であり、（ａ）は図５（ｂ）のＢ−Ｂ断面図であり、（ｂ）は図５（ｂ）のＣ−Ｃ断面図である。
【図７】ロールスクリーンの固定面への取付け方法を説明するための図であり、（ａ）は取り付ける前の状態を示し、（ｂ）は取り付けられた状態を示す。
【図８】第２の実施形態に係る遮蔽装置のインナーレールの開口部の形状を説明するための図である。
【図９】第３の実施形態に係る遮蔽装置のインナーレールの開口部の形状を説明するための図である。
【図１０】第４の実施形態に係る遮蔽装置のインナーレールの開口部の形状を説明するための図である。
【図１１】第５の実施形態に係る遮蔽装置のインナーレールの開口部の形状を説明するための図である。
【図１２】第６の実施形態に係る遮蔽装置のインナーレールを説明するための図であり、（ａ）は第１インナーレールと第２インナーレールとを長さ方向に配置した状態を示す図であり、（ｂ）は第１インナーレールと第２インナーレールとを離間させた状態を示す図である。
【発明を実施するための形態】
【００１６】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１７】
（第１の実施形態）
本発明の第１の実施形態について説明する。まず、本実施形態に係るロールスクリーン（遮蔽装置）１００の全体構成について、図１及び図２を参照しながら説明する。図１は、実施形態に係るロールスクリーン１００の全体構成を説明するための正面図であり、図２は、図１のＡ−Ａ断面図である。
【００１８】
本実施形態のロールスクリーン１００は、スクリーン（遮蔽材）１１０を開閉可能に支持する巻取りパイプ（支持部材）１２０と、スクリーン１１０の両端部を案内するガイドレール１３０と、を備える。ガイドレール１３０は、ネジ（締結具）１４０によって固定面２００に固定され、固定面２００に対向する面が開放されたベースレール１５０と、スクリーン１１０の端部を支持するとともに、ベースレール１５０に内装されるインナーレール１６０と、を備える。そして、インナーレール１６０には、スクリーン１１０の端部が挿入されるスリット１６２と、ネジ１４０が通過する大きさでありベースレール１５０に連通する開口部１６４と、が形成される。以下、各部の構成について詳細に説明する。
【００１９】
（スクリーン１１０）
スクリーン１１０は、窓や開口を遮蔽する遮蔽材である。スクリーン１１０は、図１に示したように、開口部をほぼ覆う大きさであり、上端が巻取りパイプ１２０に巻取り及び巻解き可能に連結されている。スクリーン１１０の両端部は、ガイドレール１３０に挿入されており、ガイドレール１３０によって昇降が案内される。スクリーン１１０の両端部にはガイドレール１３０からの離脱を防止するためのファスナ１１２が設けられている。
【００２０】
ファスナ１１２は、図２に示したように、先端１１２ａと後端１１２ｂとが後述するインナーレール１６０のスリット１６２の幅よりも大きくなっている。よって、先端１１２ａがスリット１６２からの脱落が防止され、スクリーン１１０がインナーレール１６０に沿って支持されている。
【００２１】
スクリーン１１０の下端にはウエイトバー１１４が設けられている。ウエイトバー１１４は自重によりスクリーン１１０に張力を与えている。ウエイトバー１１４の両端部１１４ａ、１１４ｂは、図２に示したように、前後方向の厚みが薄くなっており、ガイドレール１３０に挿入される。
【００２２】
（巻取りパイプ１２０）
巻取りパイプ１２０は、スクリーン１１０を開閉可能に支持する支持部材である。巻取りパイプ１２０は、図１に示したように、固定面２００の上部に回転可能に支持されており、前述のようにスクリーン１１０の上端が巻取り及び巻解き可能に連結されている。巻取りパイプ１２０は、これの一端に設けられる操作チェーン１２２によって操作される。操作チェーン１２２の操作は、一般的にはプーリを介して巻取りパイプ１２０に伝達される。巻取りパイプ１２０の前面には、これを覆うようにカバー１２４が設けられる。
【００２３】
（ガイドレール１３０）
ガイドレール１３０は、スクリーン１１０の両端部を案内するものである。ガイドレール１３０は、図１に示したように、左右の固定面２００にそれぞれ設けられる。ガイドレール１３０は、巻取りパイプ１２０の下方から固定面２００の下端まで伸びており、上部の前面はカバー１２４によって覆われている。ガイドレール１３０は、図２に示したように、スペーサ１３２を介してネジ１４０によって固定面２００に固定される。スペーサ１３２には、ネジ１４０が挿通する挿通孔１３２ａが設けられている（図６（ｂ）参照）。ガイドレール１３０は、主に、ネジ１４０、ベースレール１５０、インナーレール１６０、モヘア（隙間防止部材）１７０によって構成される。
【００２４】
（ネジ１４０）
ネジ１４０は、ガイドレール１３０を固定面２００に固定するための締結具である。ネジ１４０は、図２に示したように、スペーサ１３２を介してベースレール１５０を固定面２００に固定する。本実施形態では、締結具としてネジ１４０を用いたが、締結具はネジに限定されない。
【００２５】
（ベースレール１５０）
ベースレール１５０は、インナーレール１６０とともにガイドレール１３０を構成するものである。ベースレール１５０は、図２に示したように、ネジ１４０によって固定面２００に固定されている。また、ベースレール１５０の固定面２００に対向する面は開放されており、略コ字状に屈曲した案内部１５２が構成されている。案内部１５２は、ウエイトバー１１４が昇降する際に端部１１４ａ、１１４ｂの前後方向への揺動を規制してウエイトバー１１４の昇降を案内する。ベースレール１５０の固定面２００側の面には、ネジ１４０が挿通する孔部１５４（図６（ｂ）参照）が形成されている。ベースレール１５０にはインナーレール１６０が内装される。
【００２６】
ベースレール１５０内には、後述するインナーレール１６０の弾性材１６６が嵌合する嵌合部１５６と、後述するモヘア１７０が取付けられるモヘア取付け部１５８とが形成されている。嵌合部１５６とモヘア取付け部１５８とは、前後の壁に一対ずつ設けられている。モヘア取付け部１５８は、嵌合部１５６よりも案内部１５２寄りに設けられている。嵌合部１５６は、ベースレール１５０の前後の面から内側に略Ｌ字状に突出して形成されている。また、モヘア取付け部１５８は、ベースレール１５０の前後の面と案内部１５２の端部から内側に略二股状に突出して形成されている。
【００２７】
（インナーレール１６０）
インナーレール１６０は、ベースレール１５０とともにガイドレール１３０を構成するものである。インナーレール１６０は、図２に示したように、ベースレール１５０に内装されている。インナーレール１６０は、長尺状であり、ベースレール１５０の長手方向ほぼ全長にわたって設けられている。インナーレール１６０には、スクリーン１１０の端部が挿入されるスリット１６２と、ネジ１４０が通過する大きさでありベースレール１５０に連通する後述する開口部１６４と、が形成されている。
【００２８】
インナーレール１６０の詳細な構成について、図２に加えてさらに図３を参照しながら説明する。図３は、インナーレールを説明するための図であり、（ａ）はインナーレールの正面側の斜視図であり、（ｂ）はインナーレールの背面側の斜視図であり、（ｃ）は開口部の拡大図である。インナーレール１６０は、図３（ａ）、（ｂ）に示したように、固定面２００と対向して配置される平面状の対向部１６０ａと、対向部１６０ａから突出する突出部１６０ｂと、対向部１６０ａと突出部１６０ｂとの間に形成され、スクリーン１１０のファスナ１１２の先端１１２ａを収容するファスナ収容部１６０ｃと、を備えている。
【００２９】
対向部１６０ａは、図２に示したように、固定面２００と対向する位置に配置される。対向部１６０ａの両端には、弾性材１６６が設けられている。弾性材１６６は、突出部１６０ｂの前方にさらに突出している。
【００３０】
突出部１６０ｂには、長さ方向全長にわたってスリット１６２が形成されている。また、インナーレール１６０の長さ方向において所定位置に、対向部１６０ａと突出部１６０ｂとを貫通する開口部１６４が形成されている。開口部１６４は、スリット１６２を跨ぐように形成されている。よって、ベースレール１５０を大きくする必要がなく既存のベースレールを用いることができる。また、開口部１６４は、図３（ｃ）に示したようにスリット１６２との接続部分がテーパー状に面取りされている。よって、スリット１６２を移動するスクリーン１１０が開口部１６４に引っかかることが防止されている。
【００３１】
ファスナ収容部１６０ｃには、図２に示したように、ファスナ１１２の先端１１２ａが収容される。ファスナ１１２は、先端１１２ａがスリット１６２からの脱落が防止されるように設けられる。インナーレール１６０は弾性材１６６によって固定部１６４側に付勢されており、スクリーン１１０はテンションがかかった状態になる。
【００３２】
（モヘア１７０）
モヘア１７０は、ガイドレール１３０からの光漏れを防止するもののみならず、レール内意匠の露出防止あるいはレール内へのゴミ侵入を防止するものである。モヘア１７０は、図２に示したように、ベースレール１５０内において、インナーレール１６０よりも開放された面寄りに、スクリーン１１０の背面側に接触するように設けられる。モヘア１７０は、ベースレール１５０の長さ方向ほぼ全長にわたって設けられる。
【００３３】
モヘア１７０は、先端がスクリーン１１０に接触して光を遮断するモヘア部１７２と、モヘア部１７２の後端が取付けられる基部１７４とを備えて構成される。モヘア部１７２は、複数の毛などの繊維の束で構成される。基部１７４は、ベースレール１５０の長さ方向ほぼ全長にわたる平板状の部材であり、両端部がベースレール１５０のモヘア取付け部１５８に取付けられる。基部１７４の長さ方向ほぼ全長にわたってモヘア部１７２が取付けられる。
【００３４】
以上、ガイドレール１３０を構成するベースレール１５０とインナーレール１６０の構成について説明した。以下、ガイドレール１３０の全体の構成について、図４〜図６を参照しながら説明する。図４は、ベースレール１５０にインナーレール１６０を組み付ける状態を説明するための図である。図５は、ガイドレールを説明するための図であり、（ａ）はベースレールの一部を長さ方向に切断してモヘアを省略した図であり、（ｂ）はガイドレールの側面図である。図６は、ガイドレールを固定面に取付けた状態を示す図であり、（ａ）は図５（ｂ）のＢ−Ｂ断面図であり、（ｂ）は図５（ｂ）のＣ−Ｃ断面図である。
【００３５】
まず、ガイドレール１３０の組み付けについて、図４を参照しながら説明する。ベースレール１５０の上部からベースレール１５０内にインナーレール１６０が挿入される。インナーレール１６０は、対向部１６０ａが固定面２００に対向し、突出部１６０ｂは案内部１５２と対向するように配置される。
【００３６】
インナーレール１６０は、図５（ａ）に示したように、スリット１６２と開口部１６４がベースレール１５０の案内部１５２の間から露出している。また、モヘア１７０は、図５（ｂ）に示したように、スクリーン１１０の背面側に配置され、ベースレール１５０の長さ方向ほぼ全長にわたって設けられる。
【００３７】
弾性材１６６は、図６（ａ）に示したように、先端がベースレール１５０の嵌合部１５６に嵌合している。また、モヘア１７０の基部１７４が、ベースレール１５０のモヘア取付け部１５８に取付けられている。モヘア１７０はベースレール１５０の前後のモヘア取付け部１５８のうちのどちらに設けてもよいが、本実施形態では、スクリーン１１０の背面側のモヘア取付け部１５８に取付けられる。
【００３８】
ガイドレール１３０は、スペーサ１３２を介してネジ１４０によって固定面２００に取付けられる。図６（ｂ）に示したように、インナーレール１６０の開口部１６４と、ベースレール１５０の孔部１５４とは同じ位置に配置されており、孔部１５４を介してネジ１４０が固定面２００にねじ込まれることにより、ガイドレール１３０が固定面に取付けられる。
【００３９】
以上、ロールスクリーン１００の全体構成について説明した。次に、ロールスクリーン１００の固定面２００への取付け方法について、図７を参照しながら説明する。図７は、ロールスクリーンの固定面への取付け方法を説明するための図であり、（ａ）は取り付ける前の状態を示し、（ｂ）は取り付けられた状態を示す。
【００４０】
ガイドレール１３０は、図７（ａ）に示したように、ベースレール１５０にインナーレール１６０を内装し、モヘア１７０を取り付けた状態で、スペーサ１３２を介して固定面２００に配置する。ベースレール１５０の案内部１５２の間の開放部からネジ１４０をベースレール１５０内に挿入する。次に、ネジ１４０をインナーレール１６０の開口部１６４に通過させる必要があるが、モヘア１７０によって開口部１６４の大部分が覆い隠されているものの、モヘア１７０の先端から開口部１６４の一部が露出しているため、開口部１６４の位置は視認可能である。そして、ネジ１４０を開口部１６４、ベースレール１５０の孔部１５４とスペーサ１３２の挿通孔１３２ａとを順次通過させて固定面２００にねじ込む。
【００４１】
よって、図７（ｂ）に示したように、ベースレール１５０が固定面２００に固定され、インナーレール１６０のスリット１６２の上部からファスナ収容部１６０ｃにスクリーン１１０の端部に設けられたファスナ１１２が挿入される。このようにして、スクリーン１１０はテンションがかかった状態でガイドレール１３０に沿って開閉可能に取付けられる。
【００４２】
（第１の実施形態の効果）
以上説明したように、本実施形態によれば、インナーレール１６０に、ネジ１４０が通過する大きさでありベースレール１５０に連通する開口部１６４を形成することで、インナーレール１６０をベースレール１５０に内装した状態で開口部１６４を通してベースレール１５０を固定面２００にネジ１４０で止めることができる。よって、部品点数が減り、施工性も向上する。また、後付けの案内部材が不要であるため、ベースレール１５０の設計の自由度が増し、レールの寸法（例えば、遮蔽材幅方向に該当するレールの奥行き方向）を小さくできるため、ロールスクリーン１００が設置される空間の開放面積を大きくとることができる。
【００４３】
また、スリット１６２を跨ぐように開口部１６４を形成することで、ベースレール１５０を大きくする必要がなく既存のベースレールを用いることができる。
【００４４】
また、開口部１６４のスリット１６２との接続部分がテーパー状又はＲ状に面取りされることにより、スリット１６２を跨ぐように開口部１６４を形成しても、スクリーン１１０の移動に影響を与えにくくなる。すなわち、開口部１６４のスリット１６２との接続部分がテーパー状又はＲ状であることによって、スクリーン１１０が開口部１６４を通過するとき、開口部１６４とスリット１６２との境界部に引っかかって、スクリーン１１０の端部がスリット１６２から離脱したり、開閉不良を起こしたりすることを防止できる。
【００４５】
また、ベースレール１５０内には、インナーレール１６０よりも開放された面寄りに、スクリーン１１０の背面側に接触するようにモヘア１７０を設けるようにしたため、開口部１６４からの光漏れを防止することができる。なお、モヘア１７０は、ロールスクリーン１００の設置場所や施工性向上のために、他の位置に設けるようにしてもよい。
【００４６】
（第２の実施形態）
本発明の第２の実施形態について、図８を参照しながら説明する。本実施形態のロールスクリーンは、インナーレール２６０の開口部２６４の形状が第１の実施形態の開口部１６４の形状と相違するものである。その他の点については、上記第１の実施形態と同様であるため、重複説明を省略する。
【００４７】
開口部２６４は、図８に示したように、ネジ２４０が通過する大きさであり、スリット２６２を跨ぐように円形に形成されている。開口部２６４の端部はＲ状に面取りされている。よって、スクリーンが開口部２６４を通過するとき、開口部２６４とスリット２６２との境界部に引っかかって、スクリーンの端部がスリット２６２から離脱したり、開閉不良を起こしたりすることを防止できる。
【００４８】
（第３の実施形態）
本発明の第３の実施形態について、図９を参照しながら説明する。本実施形態のロールスクリーンは、インナーレール３６０の開口部３６４の形状が第１の実施形態の開口部１６４の形状と相違するものである。その他の点については、上記第１の実施形態と同様であるため、重複説明を省略する。
【００４９】
開口部３６４は、図９に示したように、ネジ３４０が通過する大きさであり、スリット３６２を跨ぐように楕円形状に形成されている。このように、開口部３６４を楕円形状に形成することによって、スリット３６２と開口部３６４との境界部が面取りされているような構成になる。よって、第１の実施形態と同様の効果が得られるとともに、面取りをする必要がないため、製造が容易である。
【００５０】
（第４の実施形態）
本発明の第４の実施形態について、図１０を参照しながら説明する。本実施形態のロールスクリーンは、インナーレール４６０の開口部４６４の形状が第１の実施形態の開口部１６４の形状と相違するものである。その他の点については、上記第１の実施形態と同様であるため、重複説明を省略する。
【００５１】
開口部４６４は、図１０に示したように、ネジ４４０が通過する大きさであり、スリット４６２を跨ぐようにひし形に形成されている。このように、開口部４６４をひし形に形成することによって、スリット４６２と開口部４６４との境界部が面取りされているような構成になる。よって、第１の実施形態と同様の効果が得られるとともに、面取りをする必要がないため、製造が容易である。
（第５の実施形態）
本発明の第５の実施形態について、図１１を参照しながら説明する。本実施形態のロールスクリーンは、インナーレール５６０の開口部５６４の位置が第１の実施形態の開口部１６４の位置と相違するものである。その他の点については、上記第１の実施形態と同様であるため、重複説明を省略する。
【００５２】
開口部５６４は、図１１に示したように、ネジ５４０が通過する大きさであり、スリット５６２から離間した位置に形成されている。このため、開口部５６４が形成されている突出部５６０ｂ−１は、開口部５６４が形成されていない側の突出部５６０ｂ−２よりも幅が広く構成されている。このように、開口部５６４を、スクリーンの端部が挿入されるスリット５６２から離間した位置に形成することで、スクリーンの移動に影響を与えない。
【００５３】
（第６の実施形態）
本発明の第６の実施形態について、図１２を参照しながら説明する。本実施形態のロールスクリーンは、インナーレール６６０の形状が第１の実施形態のインナーレール１６０の形状と相違するものである。その他の点については、上記第１の実施形態と同様であるため、重複説明を省略する。
【００５４】
インナーレール６６０は、図１２（ａ）に示したように、開口部６６４を有する複数の第１インナーレール６６０−１と、開口部６６４を有さない複数の第２インナーレール６６０−２と、が長さ方向に配置される。第１インナーレール６６０−１には、図１２（ｂ）に示したように、スリット６６２とスリット６６２を跨ぐように前述の開口部６６４が形成されている。一方、第２インナーレール６６０−２には、スリット６６２のみが形成されている。第１インナーレール６６０−１と第２インナーレール６６０−２とを長さ方向に配置した際には、スリット６６２が連通するようになっている。
【００５５】
以上説明したように、本実施形態によれば、ベースレールに形成される締結具止め用の孔部の位置に合わせて第１インナーレール６６０−１を配置し、それ以外の部分に第２インナーレール（例えば、長尺に切断したレール部材）６６０−２を配置する構成とすることで、製品サイズ（高さ）毎にインナーレールの開口部の加工位置を設定する必要がなくなり、取付現場での開口部の位置調整も容易となる。また、運搬も容易となる。このようにして、さらに施工性を上げることができる。
【００５６】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００５７】
例えば、上記実施形態では、遮蔽装置としてロールスクリーン１００を用いたが、本発明はこの例に限定されない。例えば、プリーツスクリーンやハニカムスクリーンなどでもよく、スクリーンの開閉方向は上から下に向かう昇降のみならず、下から上に向かうクライマー式の昇降、あるいは左右方向の開閉としてもよく、操作方法はチェーンによる操作に限定されない。
【００５８】
また、上記実施形態では、開口部は、スリットを跨ぐように、又はスリットから離間した位置に形成されるようにしたが、本発明はこの例に限定されない。例えば、開口部の一部のみがスリットにかかるように形成されていてもよい。
【００５９】
また、上記実施形態では、開口部のスリットとの接続部分がテーパー状又はＲ状に形成したが、本発明はこの例に限定されず、開口部とスリットとの境界部にスクリーンが引っかからない工夫を適宜設計することができる。例えば、開口部とスリットとの境界部に滑りやすい部材を設けるなどでもよい。
【００６０】
また、上記実施形態では、開口部の形状として様々な形状を説明したが、本発明はこれらの例に限定されず、開口部は適宜形状とすることができる。
【００６１】
また、上記実施形態では、複数の第１インナーレール６６０−１と複数の第２インナーレール６６０−２とを用いたが、本発明はこの例に限定されず、１又は２以上の第１インナーレールと１又は２以上の第２インナーレールとを長さ方向に配置する構成であればよい。
【００６２】
また、上記実施形態では、モヘア１７０により構成された隙間防止部材をスクリーン１１０の背面側に設けたが、本発明はこの例に限定されない。隙間防止部材はスクリーンの前面と背面の少なくとも一方の面に接触するように設ければよく、光漏れ防止効果をより一層高めるために前面と背面の両面に設けてもよい。透け感のあるスクリーンを採用する等して、光漏れ防止効果が不要であれば隙間防止部材は設けなくてもよい。また、隙間防止部材はモヘアに限定されず、例えば、柔軟な樹脂製のプレートでもよい。
【００６３】
上記実施形態、応用例、変形例は、任意に組み合わせて実施することができる。
【符号の説明】
【００６４】
１００  ロールスクリーン（遮蔽装置）
１１０  スクリーン（遮蔽材）
１１２  ファスナ
１１２ａ  先端
１１２ｂ  後端
１１４  ウエイトバー
１１４ａ、１１４ｂ  端部
１２０  巻取りパイプ（支持部材）
１２２  操作チェーン
１２４  カバー
１３０  ガイドレール
１３２  スペーサ
１３２ａ  挿通孔
１４０、２４０、３４０、４４０、５４０  ネジ（締結具）
１５０  ベースレール
１５２  案内部
１５４  孔部
１５６  嵌合部
１５８  モヘア取付け部
１６０、２６０、３６０、４６０、５６０、６６０  インナーレール
１６０ａ  対向部
１６０ｂ、５６０ｂ−１、５６０ｂ−２  突出部
１６０ｃ  ファスナ収容部
１６２、２６２、３６２、４６２、５６２、６６２  スリット
１６４、２６４、３６４、４６４、５６４、６６４  開口部
１６６  弾性材
１７０  モヘア（隙間防止部材）
１７２  モヘア部
１７４  基部
２００  固定面
６６０−１  第１インナーレール
６６０−２  第２インナーレール
【図１】
2019039205.tif 000003
【図２】
2019039205.tif 000004
【図３】
2019039205.tif 000005
【図４】
2019039205.tif 000006
【図５】
2019039205.tif 000007
【図６】
2019039205.tif 000008
【図７】
2019039205.tif 000009
【図８】
2019039205.tif 000010
【図９】
2019039205.tif 000011
【図１０】
2019039205.tif 000012
【図１１】
2019039205.tif 000013
【図１２】
2019039205.tif 000014